(57)【要約】【課題】簡単な構成により安価に製造でき、その取付施工も容易で、かつ防犯性及びデザイン性にも優れた進入防止用部材及びその製造方法を提供する【解決手段】進入防止用部材１は、自立できる程度の強度を有し、一定の面積を有する金属製のエキスパンドメタル１１と、エキスパンドメタル１１の下部に接合され、エキスパンドメタル１１を立設させる基台部１２と、エキスパンドメタル１１の上端を切断し、エキスパンドメタル１１を構成する金属部分を上方に向けて突出させて形成された有刺部１３とから構成される。エキスパンドメタル１１は、その網目の形状と合致する上刃及び下刃を、摺接させつつ上下動させて、鋼板材を上下から挟み込んで切延し、この切延を、所定幅を持って繰り返すことにより、網状体を成型することができる。【選択図】  図１
2013217136.tif 000002
【特許請求の範囲】
【請求項１】
自立できる程度の強度を有し、一定の面積を有する金属製の網状体と、
前記網状体の下部に接合され、前記網状体を立設させる基台部と、
前記網状体の上端を切断し、網状体を構成する金属部分を上方に向けて突出させて形成された有刺部と
から構成されることを特徴とする進入防止用部材。
【請求項２】
前記網状体は、鋼板材を所定の間隔で切延して成型されたエキスパンドメタルであることを特徴とする請求項１の進入防止用部材。
【請求項３】
自立できる程度の強度を有し、一定の面積を有する金属製の網状体を有する進入防止用部材の製造方法であって、
前記網状体の網目の形状と合致する形状の刃先を有し、これら両刃を摺接させつつ上下動される上下一対の上刃及び下刃によって、鋼板材を上下から挟み込んで切延し、この切延を、所定幅を持って繰り返すことにより、前記網状体を成型する工程と、
前記網状体の一端を切除し、網状体を構成する金属部分を屈曲させて、外方へ向けて突出させて有刺部を形成するとともに、前記網状体の他端に基台部を接合する工程と
を含むことを特徴とする進入防止用部材の製造方法。
【発明の詳細な説明】
【技術分野】
【０００１】
本発明は、防護柵やフェンスに簡単に取付けられる進入防止用部材及びその製造方法に関する。
【背景技術】
【０００２】
他人が敷地内に無断で立ち入ることを防止する一般的な侵入防止用フェンスは、例えば、いわゆる菱形金網を柵に使用し、この金網を左右の支柱により支持したものがあり、進入防止を強化するために、支柱を金網部分よりも上方に延長させ、その延長部分の間に有刺鉄線などを張設する場合が多い（特許文献１参照）。また、一般的な塀やフェンスなどにおいても、進入防止を強化するために、塀の上面に槍状の尖った部品を取り付けるものも考案されている。
【先行技術文献】
【特許文献】
【０００３】
【特許文献１】特開平２００４−１５６４３６
【発明の概要】
【発明が解決しようとする課題】
【０００４】
しかしながら、上述した金網柵の上部に有刺鉄線を張設するフェンスでは、施工が大掛かりになるとともに、フェンスのデザインとしても殺伐としがちであり、適用範囲が限られるという問題がある。また、上述した槍状の部品を取り付ける構成では、槍状部品のデザインを向上させることで、防犯性を維持しつつ、フェンス全体の意匠性を高めることはできるものの、部品の価格が高くなるうえ、部品を一つずつ施工するための工費も嵩むこととなり、全体としての建設コストが増大するという問題がある。
【０００５】
そこで、本発明は、上記のような問題を解決するものであり、簡単な構成により安価に製造でき、その取付施工も容易で、かつ防犯性及びデザイン性にも優れた進入防止用部材及びその製造方法を提供することを目的とする。
【課題を解決するための手段】
【０００６】
上記課題を解決するために、本発明の進入防止用部材は、自立できる程度の強度を有し、一定の面積を有する金属製の網状体と、網状体の下部に接合され、網状体を立設させる基台部と、網状体の上端を切断し、網状体を構成する金属部分を上方に向けて突出させて形成された有刺部とから構成される。なお、本発明において、上記網状体は、鋼板材を所定の間隔で切延して成型されたエキスパンドメタルとすることができる。
【０００７】
そして、このような本発明に係る進入防止用部材は、本発明の製造方法により製造することができる。すなわち、本発明は、自立できる程度の強度を有し、一定の面積を有する金属製の網状体を有する進入防止用部材の製造方法であって、
（１）網状体の網目の形状と合致する形状の刃先を有し、これら両刃を摺接させつつ上下動される上下一対の上刃及び下刃によって、鋼板材を上下から挟み込んで切延し、この切延を、所定幅を持って繰り返すことにより、網状体を成型する工程と、
（２）網状体の一端を切除し、網状体を構成する金属部分を屈曲させて、外方へ向けて突出させて有刺部を形成するとともに、網状体の他端に基台部を接合する工程と
によって製造する。
【発明の効果】
【０００８】
本発明の進入防止用部材によれば、基台部を、塀やフェンスの上面などに固定することにより、上端の有刺部によって、塀やフェンスを越えて進入するのを防止できる。網状体をエキスパンドメタルにすれば、網状体の強度をより増大させることができ、自立性を高めることができる。
【０００９】
また、本発明の進入防止用部材は、エキスパンドメタルなどの網状体を切断して、その網目を構成する金属を屈曲させるとともに、この網状体を基台部に接合するという簡単な構成により、デザイン性の高い部材を安価に製造できる。そして、既存の塀やフェンスの上部に、基台部を固定するという簡単な方法で取付施工を行うことができる。これらの結果、本発明によれば、防犯性及びデザイン性を向上させつつ、安価な防犯フェンスを容易に構築することができる。
【図面の簡単な説明】
【００１０】
【図１】実施形態に係る進入防止用部材の全体構成を示す正面図である。
【図２】実施形態に係る進入防止用部材の模式図であり、（ａ）はメッシュの網目の拡大図、（ｂ）は（ａ）のＡ−Ａ線断面図である。
【図３】実施形態に係る進入防止用部材の取付施工手順を示す説明図である。
【図４】実施形態に係る進入防止用部材の製造方法を示す説明図であり、（ａ）は鋼板の上面図であり、（ｂ）はメッシュを形成する時点の説明図である。
【図５】実施形態に係る進入防止用部材の製造方法を時系列に示す説明図である。
【図６】実施形態に係る進入防止用部材の製造方法を示す説明図であり、（ａ）は、網状体を切断する時点の説明図であり、（ｂ）は、有刺部を形成する時点の説明図である。
【図７】（ａ）〜（ｄ）は、実施形態に係る進入防止用部材の製造方法における種々の変形例を示す説明図である。
【発明を実施するための形態】
【００１１】
（進入防止用部材の構成）
以下に添付図面を参照して、本発明に係る進入防止用部材の実施形態を詳細に説明する。図１は、本実施形態に係る進入防止用部材１の全体構成を示す正面図である。また、図２は、進入防止用部材の模式図であり、（ａ）はメッシュの網目の拡大図、（ｂ）は（ａ）のＡ−Ａ線断面図である。
【００１２】
同図に示すように、本実施形態に係る進入防止用部材１は、金属製のエキスパンドメタル１１と、エキスパンドメタルを立設させる基台部１２と、エキスパンドメタルの上端に形成された有刺部１３とから構成される。
【００１３】
エキスパンドメタル１１は、自立できる程度の強度を有し、一定の面積を有する金属製の網状体である。本実施形態におけるエキスパンドメタル１１は、図２（ａ）に拡大して示すように、菱形のメッシュ１１０が多数形成されて網目状をなしており、各メッシュ１１０では、同図（ａ）及び（ｂ）において矢印で示すように、菱形の上下に対向する頂点において、互いに反対方向に押し曲げられて、メッシュ１１０が段状に連なるように形成されている。
【００１４】
基台部１２は、エキスパンドメタル１１の下部に接合され、エキスパンドメタル１１を立設させる板状の金属部材であり、エキスパンドメタル１１は、菱形のメッシュ下側の頂点において、この基台部１２に溶接されている。また、この基台部１２には、アンカーを挿通させる挿通孔１４が、所定間隔に開けられている。
【００１５】
有刺部１３は、上方に向けて突設された鋭利な部分であり、エキスパンドメタル１１の上端を切断し、エキスパンドメタル１１を構成するメッシュの上側２辺を上方に折り曲げて、上方に向けて突出されている。
【００１６】
なお、この実施形態では、網状体をエキスパンドメタルにより構成したが、本発明はこれに限定されるものではなく、自立できる程度の強度を有する網状の部材であれば、例えば、針金を編んだ金網や、金属板に穴を開けて網目状にしたパンチングメタルなどを使用することもできる。
【００１７】
（進入防止用部材の施工方法）
以上の構成を有する進入防止用部材１は、塀やフェンスの上面に固定して用いる。図３は、実施形態に係る進入防止用部材の取付施工手順を示す説明図である。
【００１８】
図３（ａ）に示すように、具体的には、塀２の上面２ａに、進入防止用部材１の基台部１２を載せ、挿通孔１４にアンカー１５を打込固定する。なお、同図（ｂ）に示すように、塀２と地面３との間の隙間２３を塞ぐように、地面３上に固定してもよい。
【００１９】
このように、本実施形態に係る進入防止用部材は、塀やフェンス等の既存の構造物上、又は地面などに簡単に固定することができ、防犯対策を安価に実現することができる。
【００２０】
（進入防止用部材の製造方法）
そして、このような本実施形態に係る進入防止用部材１は、本発明の製造方法により製造することができる。なお、ここでは、進入防止用部材１の網状体部分がエキスパンドメタルとして成型される場合を例に説明する。
【００２１】
図４は、実施形態に係る進入防止用部材の製造方法を示す説明図であり、（ａ）は鋼板の上面図であり、（ｂ）はメッシュを形成する時点の説明図である。また、図５は、実施形態に係る進入防止用部材の製造方法を時系列に示す説明図である。
【００２２】
さらに、図６は、実施形態に係る進入防止用部材の製造方法を示す説明図であり、（ａ）は、網状体を切断する時点の説明図であり、（ｂ）は、有刺部を形成する時点の説明図である。
【００２３】
先ず、エキスパンドメタル１１を鋼板材から成型する。具体的には、図４（ａ）及び（ｂ）に示すように、原板となる鋼板材１０の所定の範囲に千鳥状の切れ目１０ａを形成してこれを拡幅し、あるいは、切れ目１０ａを形成しながらこれを拡幅してメッシュを形成して網状にする。この拡幅は、エキスパンドメタル１１の網目の形状と合致する形状の刃先を有する上下一対の上刃５１及び下刃５２によって、これら両刃を摺接させつつ上下動させることによって、鋼板材１０を上下から挟み込んで切延し、この切延を、所定幅をもって繰り返すことにより行う。
【００２４】
詳述すると、このエキスパンドメタルの製造装置は、原板となる鋼板材１０を搬送する搬送手段５３と、搬送手段５３の出側かつ鋼板材１０の片面側に配置された下刃５２と、搬送手段５３の出側かつ金属板材のもう片面側に配置され、鋼板材１０の板面に入刃して板幅方向への断続的な切れ目の形成と、形成した切れ目各々の拡幅を行う上刃５１とを備える。
【００２５】
当該装置を用いた製造方法としては、先ず、図５（ａ）に示すように、上刃４を鋼板材１０の上方に上げた状態で、搬送手段５３が鋼板材１０を搬送方向に送り出す。そして、図５（ｂ）に示すように上刃４を下降させていき、上刃４を金属板材の板面に入刃させて、金属板材の板幅方向に断続的な切れ目を形成するとともに各々を拡幅する。
【００２６】
次いで、図５（ｃ）に示すように上刃４を上昇させてから、図５（ｄ）に示すように上刃４を鋼板材１０の板幅方向にメッシュの長目方向中心間距離の１／２分だけ移動させるとともに、搬送手段５３が刻み巾だけ鋼板材１０を送り出した後、図５（ｅ）に示すように上刃４を下降させていき、上刃４を金属板材の板面に入刃させて、金属板材の板幅方向に断続的な切れ目を形成するとともに各々を拡幅する。このとき、前記したように上刃４を鋼板材１０の板幅方向にメッシュの長目方向中心間距離の１／２分だけ移動させるとともに、搬送手段５３が刻み巾だけ鋼板材１０を送り出しているので、鋼板材１０に形成される切れ目は千鳥状となり、各々を拡幅するとメッシュの網目が板幅方向に並ぶこととなる。
【００２７】
また、図５（ｆ）に示すように上刃４を上昇させてから、上刃４を鋼板材１０の板幅方向にメッシュの長目方向中心間距離の１／２分だけ戻すとともに、搬送手段５３が刻み巾だけ板材１０を送り出す。以下、図５（ｂ）から図５（ｆ）に示した操作を順次繰り返す。
【００２８】
次いで、有刺部１３を形成する。具体的には、図６（ａ）中、破線Ｌ１及びＬ２で示すように、メッシュが菱形の頂点を切除するように、エキスパンドメタル１１の両端を切断し、その後、同図（ｂ）に示すように、エキスパンドメタル１１を構成する金属部分を屈曲させて、外方へ向けて突出させる。最後に、エキスパンドメタル１１の他端に基台部１２を接合する。この接合は、溶接等により
なお、本実施形態では、エキスパンドメタル１１の網目（メッシュ）の形状を菱形としたが、本発明はこれに限定されるものではなく、図７（ａ）〜（ｄ）に示すように、種々の形状とすることができる。このとき、上刃５１の刃先の形状を、形成するメッシュの網目の形状に応じたものを用いることができる。同図は上刃４の刃先の例を示すものであり、（ａ）〜（ｄ）各図の左側に例示した刃先を用いると、各図右側に示すメッシュの網目を形成することができる。
【００２９】
（作用・効果）
本実施形態に係る進入防止用部材１によれば、基台部１２を、塀やフェンスの上面などに固定することにより、上端の有刺部１３によって、塀やフェンスを越えて進入するのを防止できる。また、本実施形態では、網状体をエキスパンドメタルとしたため、網状体部分の強度をより増大させることができ、自立性を高めることができる。
【００３０】
さらに、本実施形態に係る進入防止用部材１は、エキスパンドメタル１１を切断して、その網目を構成する金属を屈曲させて有刺部１３を形成するとともに、このエキスパンドメタル１１を基台部１２に接合するという簡単な構成により、デザイン性の高い部材を安価に製造できる。そして、既存の塀やフェンスの上部に、基台部１２を固定するという簡単な方法で取付施工を行うことができる。これらの結果、本実施形態によれば、防犯性及びデザイン性を向上させつつ、安価な防犯フェンスを容易に構築することができる。
【符号の説明】
【００３１】
１…進入防止用部材
２…塀
２ａ…上面
３…地面
４…上刃
１０…鋼板材
１０ａ…切れ目
１１…エキスパンドメタル
１２…基台部
１３…有刺部
１４…挿通孔
１５…アンカー
２３…隙間
５１…上刃
５２…下刃
５３…搬送手段
１１０…メッシュ
【図１】
2013217136.tif 000003
【図２】
2013217136.tif 000004
【図３】
2013217136.tif 000005
【図４】
2013217136.tif 000006
【図５】
2013217136.tif 000007
【図６】
2013217136.tif 000008
【図７】
2013217136.tif 000009